(57)【要約】【課題】日射量に対する熱侵入量を抑えることができる日射遮蔽窓およびこれを備えた建物壁構造を提供すること。【解決手段】日射遮蔽窓１は、屋内空間および屋外空間を隔てた建物壁２の開口３に設置されるものであり、内ガラス６と、内ガラス６に対して屋外側に配置された外ガラス７とを備える。外ガラス７は、サーモクロミックガラス２０によって構成されており、ガラス温度の上昇によって透過する透過日射量が少なくなる一方、ガラス温度の低下によって透過する透過日射量が多くなる特性を有する。内ガラス６および外ガラス７の間には、屋外空間に連通される中空層８が形成されていることを特徴とする。【選択図】図１
2019183546.tif 000002
【特許請求の範囲】
【請求項１】
屋内空間および屋外空間を隔てた建物壁の開口に設置される日射遮蔽窓であって、
内ガラスと、前記内ガラスに対して屋外側に配置された外ガラスとを備えており、
前記外ガラスは、ガラス温度の上昇によって透過する透過日射量が少なくなる一方、ガラス温度の低下によって透過する透過日射量が多くなる特性を有したサーモクロミックガラスによって構成されており、
前記内ガラスおよび前記外ガラスの間には、屋外空間に連通される中空層が形成されている
ことを特徴とする日射遮蔽窓。
【請求項２】
請求項１に記載の日射遮蔽窓において、
前記サーモクロミックガラスの屋内面には、赤外線を遮断する熱遮断膜が形成されている
ことを特徴とする日射遮蔽窓。
【請求項３】
請求項２に記載の日射遮蔽窓において、
前記熱遮断膜は、可視光線を透過し且つ赤外線を吸収する特性を有した熱線吸収膜によって構成されている
ことを特徴とする日射遮蔽窓。
【請求項４】
請求項３に記載の日射遮蔽窓において、
前記熱線吸収膜の赤外線透過率は、前記サーモクロミックガラスの赤外線透過率よりも低くなっている
ことを特徴とする日射遮蔽窓。
【請求項５】
請求項３または請求項４に記載の日射遮蔽窓において、
前記熱線吸収膜の可視光線透過率は、前記サーモクロミックガラスの可視光線透過率よりも高くなっている
ことを特徴とする日射遮蔽窓。
【請求項６】
請求項２に記載の日射遮蔽窓において、
前記熱遮断膜は、可視光線を透過し且つ赤外線を反射する特性を有した熱線反射膜によって構成されている
ことを特徴とする日射遮蔽窓。
【請求項７】
請求項６に記載の日射遮蔽窓において、
前記熱線反射膜の赤外線透過率は、前記サーモクロミックガラスの赤外線透過率よりも低くなっている
ことを特徴とする日射遮蔽窓。
【請求項８】
請求項６または請求項７に記載の日射遮蔽窓において、
前記熱線反射膜の可視光線透過率は、前記サーモクロミックガラスの可視光線透過率よりも高くなっている
ことを特徴とする日射遮蔽窓。
【請求項９】
請求項１から請求項８のいずれか一項に記載の日射遮蔽窓が建物壁の開口に設置された建物壁構造であって、
前記建物壁および前記日射遮蔽窓の外ガラスの間には、前記日射遮蔽窓の中空層を屋外空間に連通する連通口が構成されており、
前記外ガラスの屋外面は、前記建物壁の外壁面に対して面一となる位置または屋内側に寄った位置に配置されている
ことを特徴とする建物壁構造。
【発明の詳細な説明】
【技術分野】
【０００１】
本発明は、内ガラスおよび外ガラスを備え、外ガラスをサーモクロミックガラスで構成した日射遮蔽窓およびこれを備えた建物壁構造に関する。
【背景技術】
【０００２】
従来、室内（屋内）側のガラス板と、屋内側のガラス板に対して間隔を隔てて室外（屋外）側に配置された屋外側のガラス板とを備えた二重窓が知られており（特許文献１参照）、屋外側のガラス板にはサーモクロミックフィルムが接合されている。
【先行技術文献】
【特許文献】
【０００３】
【特許文献１】特開平２−２８９７８２号公報
【発明の概要】
【発明が解決しようとする課題】
【０００４】
ところで、特許文献１に記載のような二重窓では、一般に屋内側のガラス板と屋外側のガラス板との間の中空層は密閉されて断熱性が保たれる。このように中空層が密閉された二重窓では、日射量が多い場合には中空層の温度が外気の温度よりも高く保たれ、屋内側のガラス板が中空層の熱を受けて温度が上昇し、屋内側のガラス板から屋内空間への熱侵入量が大きくなってしまう。
【０００５】
本発明の目的は、日射量に対する熱侵入量を抑えることができる日射遮蔽窓およびこれを備えた建物壁構造を提供することにある。
【課題を解決するための手段】
【０００６】
本発明の日射遮蔽窓は、屋内空間および屋外空間を隔てた建物壁の開口に設置される日射遮蔽窓であって、内ガラスと、前記内ガラスに対して屋外側に配置された外ガラスとを備えており、前記外ガラスは、ガラス温度の上昇によって透過する透過日射量が少なくなる一方、ガラス温度の低下によって透過する透過日射量が多くなる特性を有したサーモクロミックガラスによって構成されており、前記内ガラスおよび前記外ガラスの間には、屋外空間に連通される中空層が形成されていることを特徴とする。
本発明の日射遮蔽窓によれば、サーモクロミックガラスのガラス温度が変化することで透過日射量を調整することができ、これにより、日射量に対する日射遮蔽率を調整することができる。また、内ガラスおよび外ガラスの間に形成された中空層が屋外空間と連通しているので、日射量が多い場合であっても中空層から屋外空間に排熱できるので、中空層の熱の影響を受ける内ガラスから屋内空間への熱侵入量を抑えることができる。
【０００７】
本発明の日射遮蔽窓では、前記サーモクロミックガラスの屋内面には、赤外線を遮断する熱遮断膜が形成されていてもよい。
このような構成によれば、サーモクロミックガラスの屋内面に形成された熱遮断膜が、サーモクロミックガラス全体を透過した赤外線を吸収や反射によって遮断する。このため、赤外線を吸収してフィルム温度が上昇した熱遮断膜からサーモクロミックガラスに熱伝導されたり、熱遮断膜が反射した赤外線がサーモクロミックガラスに再び戻されたりすることで、サーモクロミックガラスのガラス温度の上昇を促進できる。これにより、太陽の日射量が多くなって外気温が高まる場合には、例えば熱遮断膜が屋内面に形成されていないサーモクロミックガラスと比べて、外ガラスが遮蔽する日射量を速やかに多くすることができ、日射遮蔽窓から屋内空間への熱侵入量を抑えることができる。
また、サーモクロミックガラスの屋内面に形成された熱遮断膜によって赤外線を遮断するので、熱遮断膜よりも屋内側に位置する中空層や内ガラスの温度上昇を抑えることができる。
【０００８】
本発明の日射遮蔽窓では、前記熱遮断膜は、可視光線を透過し且つ赤外線を吸収する特性を有した熱線吸収膜によって構成されていてもよい。
このような構成によれば、サーモクロミックガラスを透過する可視光線に対する熱線吸収膜の影響を抑えることができると共に、サーモクロミックガラスを透過した赤外線を熱線吸収膜によって吸収することができる。このように赤外線を吸収することで熱線吸収膜の温度が上昇し、熱線吸収膜からサーモクロミックガラスに熱伝導して、サーモクロミックガラスのガラス温度の上昇を促進できる。
【０００９】
本発明の日射遮蔽窓では、前記熱線吸収膜の赤外線透過率は、前記サーモクロミックガラスの赤外線透過率よりも低くなっていてもよい。
このような構成によれば、サーモクロミックガラスを透過した赤外線を熱線吸収膜で遮断できるので、日射遮蔽ガラスから屋内空間への熱侵入量を抑えることができる。
【００１０】
本発明の日射遮蔽窓では、前記熱線吸収膜の可視光線透過率は、前記サーモクロミックガラスの可視光線透過率よりも高くなっていてもよい。
このような構成によれば、サーモクロミックガラスを透過した可視光線を熱線吸収膜にも透過させることができ、熱線吸収膜の可視光線への影響を抑えることができる。
【００１１】
本発明の日射遮蔽窓では、前記熱遮断膜は、可視光線を透過し且つ赤外線を反射する特性を有した熱線反射膜によって構成されていてもよい。
このような構成によれば、サーモクロミックガラスを透過する可視光線に対する熱線反射膜の影響を抑えることができると共に、サーモクロミックガラスを透過した赤外線を熱線反射膜によって反射することができる。このように赤外線を反射してサーモクロミックガラスに再び戻すことで、サーモクロミックガラスのガラス温度の上昇を促進できる。
【００１２】
本発明の日射遮蔽窓では、前記熱線反射膜の赤外線透過率は、前記サーモクロミックガラスの赤外線透過率よりも低くなっていてもよい。
このような構成によれば、サーモクロミックガラスを透過した赤外線を熱線反射膜で遮断できるので、日射遮蔽ガラスから屋内空間への熱侵入量を抑えることができる。
【００１３】
本発明の日射遮蔽窓では、前記熱線反射膜の可視光線透過率は、前記サーモクロミックガラスの可視光線透過率よりも高くなっていてもよい。
このような構成によれば、サーモクロミックガラスを透過した可視光線を熱反射フィルムにも透過させることができ、熱線反射膜の可視光線への影響を抑えることができる。
【００１４】
本発明の建物壁構造は、前述した本発明の日射遮蔽窓が建物壁の開口に設置された建物壁構造であって、前記建物壁および前記日射遮蔽窓の外ガラスの間には、前記日射遮蔽窓の中空層を屋外空間に連通する連通口が構成されており、前記外ガラスの屋外面は、前記建物壁の外壁面に対して面一となる位置または屋内側に寄った位置に配置されていることを特徴とする。
本発明の建物壁構造によれば、例えば外ガラスの屋外面が建物壁の外壁面よりも屋外側に突出した位置に配置される場合と比べて、屋外空間から中空層に流れ込む気体流量を抑えることができる。これにより、中空層の温度が過度に低下し、この温度の影響を受けたサーモクロミックガラスを透過する透過日射量が過度に多くなることを抑制できて、日射遮蔽窓を透過する透過日射量と中空層の排熱とのバランスを安定させることができ、屋内空間における日射熱取得率を小さくすることができる。
【発明の効果】
【００１５】
本発明によれば、日射量に対する熱侵入量を抑えることができる日射遮蔽窓およびこれを備えた建物壁構造を提供することができる。
【図面の簡単な説明】
【００１６】
【図１】本発明の実施形態に係る日射遮蔽窓を示す模式図。
【図２】前記実施形態に係る日射遮蔽窓の分光透過率を示すグラフ。
【図３】前記実施形態に係る日射遮蔽窓の熱遮断フィルムの分光特性を示すグラフ。
【図４】前記実施形態に係る日射遮蔽窓のガラス温度および日射量の関係を示すグラフ。
【図５】前記実施形態に係る日射遮蔽窓のサーモクロミックガラスの配置を示す模式図。
【図６】前記実施形態に係る日射遮蔽窓のガラス温度および日射熱取得率の関係を示すグラフ。
【発明を実施するための形態】
【００１７】
［本実施形態の構成］
以下、本発明の実施形態を図面に基づいて説明する。
図１において、本実施形態に係る日射遮蔽窓１は、屋内空間および屋外空間を隔てた建物壁２の開口３に設置される二重窓によって構成されており、内ガラス６と、内ガラス６よりも屋外側に配置された外ガラス７とを備えている。内ガラス６はその上縁、下縁および左右の縦縁が窓枠４（枠体）に取り付けられており、外ガラス７はその左右の縦縁が窓枠４に取り付けられている。外ガラス７は、内ガラス６に対して見込み方向に距離Ｌを隔てて配置されており、これにより、内ガラス６および外ガラス７の間には中空層８が形成されている。
【００１８】
内ガラス６は、矩形板状の透明ガラスによって構成されており、外ガラス７は、矩形板状のサーモクロミックガラス２０と、サーモクロミックガラス２０の屋内面２２に貼り付けられた熱遮断膜としてのシート状の熱遮断フィルム３０とを備えた日射遮蔽ガラスとして構成されている。熱遮断フィルム３０は、屋内面２２のうち中空層８に露出する全面に貼り付けられている。なお、サーモクロミックガラス２０の屋外面２１は屋外空間に露出しており、熱遮断フィルム３０などは貼り付けられていない。
外ガラス７の屋外面、すなわちサーモクロミックガラス２０の屋外面２１は、図１においては前記建物壁２の開口３のうち外壁面２Ａに対して面一となる位置に配置されている。外ガラス７の上縁および下縁と建物壁２との間には、中空層８を屋外空間に連通する連通口９がそれぞれ形成されており、外ガラス７に対して上下に位置する二つの連通口９のうちの一方から屋外の空気を中空層８に取り入れ、他方から中空層８の空気を排出することで、中空層８を換気可能となっている。
ここで、連通口９の開口面積が大きすぎると、中空層８からの排熱量が多くなり、外ガラス７のサーモクロミックガラス２０のガラス温度が外気温（屋外温度）とほぼ同じとなってしまい、太陽５の日射によってサーモクロミックガラス２０のガラス温度が上昇しにくくなる。一方、連通口９の開口面積が小さすぎると、中空層８からの排熱量が少なくなり、内ガラス６が中空層８の熱を受けてガラス温度が上昇し、屋内空間への熱侵入量が大きくなってしまう。本実施形態では、連通口９の開口面積は、日射遮蔽窓１から屋内空間への対流放射による熱侵入量と、日射遮蔽窓１を透過する透過日射量との総量が最小となる排熱量となるように、中空層８の容量や外ガラス７の特性などとの関係を考慮して設定される。
【００１９】
サーモクロミックガラス２０は、透明ガラスに二酸化バナジウムなどの遷移金属酸化物を含んだサーモクロミック層を設けて構成されている。サーモクロミックガラス２０は、ガラス温度の変化によって日射量の透過率が変化するサーモクロミック現象が生じるものであり、ガラス温度の上昇によって透過する透過日射量が少なくなる一方、ガラス温度の低下によって透過する透過日射量が多くなる特性を有している。本実施形態では、サーモクロミックガラス２０はガラス温度の変化によって主に可視光線透過率が変化する特性を有している。
【００２０】
図２（Ａ）のグラフはサーモクロミックガラス２０の分光透過率を示している。このグラフでは、縦軸が日射の透過率（％）であり、横軸が日射の波長（ｎｍ）であり、ガラス温度が２０℃、４０℃、５０℃、７０℃である場合の透過率と波長の関係を、線種を分けてそれぞれ示している。
ここで、本実施形態では、可視放射の波長範囲は、短波長限界を３６０ｎｍ〜４００ｎｍとし、且つ長波長限界を７６０ｎｍ〜８３０ｎｍとし、この波長範囲を可視光線領域とする。また、赤外放射の波長範囲は、単色光成分の波長が可視放射の波長よりも長く、短波長限界を７６０ｎｍ〜８３０ｎｍとした波長範囲を赤外線領域とする。
【００２１】
図２（Ａ）のグラフでは、ガラス温度２０℃〜７０℃の変化に応じて、サーモクロミックガラス２０の可視光線領域における可視光線透過率は、赤外線領域における赤外線透過率よりも大きく変化している。具体的には、可視光線領域において波長が６００ｎｍ程度である場合に可視光線透過率の変化が大きくなっており、ガラス温度２０℃では可視光線透過率が６５％程度である一方、ガラス温度７０℃では可視光線透過率が１５％程度であり、およそ５０％の可視光線透過率の変化範囲がみられる。これに対して、赤外線領域において波長が１０００ｎｍ程度である場合に赤外線透過率の変化が大きくなっており、ガラス温度２０℃では赤外線透過率が６２％程度である一方、ガラス温度７０℃では赤外線透過率が４７％程度であり、およそ１５％の赤外線透過率の変化がみられる。このように、サーモクロミックガラス２０のガラス温度２０℃〜７０℃の変化に応じて、可視光線透過率が５０％程度も変化するのに対し、赤外線透過率は１５％程度しか変化しない。
【００２２】
また、図２（Ａ）のグラフでは、サーモクロミックガラス２０のガラス温度２０℃の場合には、可視光線領域における波長８００ｎｍ程度で可視光線透過率７３％程度であるのに対し、赤外線領域における波長１６００ｎｍ程度で赤外線透過率７０％程度となっている。このことより、ガラス温度が低下した場合、サーモクロミックガラス２０の可視光線透過率および赤外線透過率は同程度（数％の違いを含む）となる。一方、サーモクロミックガラス２０のガラス温度７０℃の場合には、可視光線領域における波長６００ｎｍ程度で可視光線透過率１５％程度であるのに対し、赤外線領域における波長１７００ｎｍ程度で赤外線透過率３１％程度である。このことより、ガラス温度が上昇した場合、サーモクロミックガラス２０の可視光線透過率は赤外線透過率よりも低くなる。
【００２３】
熱遮断フィルム３０は、主に赤外線（熱線）を吸収する特性を有した熱線吸収膜としてのシート状の熱線吸収フィルムによって構成されている。
熱線吸収フィルムは、例えばポリエステル等の樹脂フィルムが積層された構造とされるが、前述した特性および後述する特性を発揮可能な構成であれば前記構造でなくてもよい。
【００２４】
図３（Ａ）のグラフは熱線吸収フィルムの分光特性を示している。このグラフでは、縦軸が日射の透過率・吸収率（％）であり、横軸が日射の波長（ｎｍ）であり、熱線吸収フィルムの透過率と波長の関係を実線で示しており、熱線吸収フィルムの吸収率と波長の関係を点線で示している。
図３（Ａ）のグラフでは、熱線吸収フィルムは、可視光線はあまり吸収せずに透過する一方、赤外線を多く吸収してあまり透過しない特性を有していることがわかる。また、熱線吸収フィルムの可視光線透過率が、サーモクロミックガラス２０の可視光線透過率よりも高くなっており、熱線吸収フィルムの赤外線透過率が、サーモクロミックガラス２０の赤外線透過率よりも低くなっていることがわかる。
【００２５】
図２（Ｂ）のグラフは、本実施形態の外ガラス７として、サーモクロミックガラス２０の屋内面２２に熱遮断フィルム３０として熱線吸収フィルムを貼り付けたものの分光透過率を示している。このグラフでは、縦軸が日射の透過率（％）であり、横軸が日射の波長（ｎｍ）であり、ガラス温度が２０℃、４０℃、５０℃、７０℃である場合の透過率と波長の関係を、線種を分けてそれぞれ示している。
図２（Ｂ）のグラフでは、日射遮蔽ガラス１０の可視光線透過率の変化範囲は、図２（Ａ）のグラフに示されるサーモクロミックガラス２０の可視光線透過率の変化範囲と比べて、同程度以上の変化範囲を保っていることがわかる。また、図２（Ｂ）のグラフにおける可視光線透過率は、図２（Ａ）のグラフにおける可視光線透過率と比べて、１０％前後の低下に抑えられていることから、サーモクロミックガラス２０の屋内面２２に熱線吸収フィルムを貼り付けても、外ガラス７の可視光線透過率への影響は低いことがわかる。
一方、図２（Ｂ）のグラフでは、外ガラス７の赤外線透過率が、図２（Ａ）のグラフに示されるサーモクロミックガラス２０の赤外線透過率に対して大幅に低くなっており、このように透過率が低くなった分は熱線吸収フィルムによって吸収され、熱線吸収フィルムのフィルム温度が上昇してサーモクロミックガラス２０に熱伝導されることが推測される。
【００２６】
サーモクロミックガラス２０の屋内面２２に熱遮断フィルム３０として熱線吸収フィルムを貼り付けた外ガラス７は、次のように作用する。ここでは、外気温（屋外温度）が室温（屋内温度）よりも高い場合を想定する。
図１に示すように、太陽５からの日射をサーモクロミックガラス２０が受けると、サーモクロミックガラス２０はその透過率に応じて可視光線および赤外線を透過すると共に透過されない赤外線を直接吸収する。
次に、サーモクロミックガラス２０を透過した日射を熱線吸収フィルムが受けると、熱線吸収フィルムはその透過率に応じて可視光線を透過し且つ赤外線を吸収する。熱線吸収フィルムを透過した可視光線は屋内空間に入射されるが、赤外線は熱線吸収フィルムに吸収されて屋内空間にほぼ入射されないので、外ガラス７が受ける日射量（屋外面２１が受ける窓面日射量）に対する屋内空間への熱侵入率は低く抑えられる。また、熱線吸収フィルムは、吸収した赤外線によってフィルム温度が上昇するので、フィルム温度がサーモクロミックガラス２０のガラス温度よりも高くなった場合には熱伝導してガラス温度の上昇を促進させる。
【００２７】
太陽５からの日射が強まって外ガラス７の屋外面２１が受ける窓面日射量が多くなっていく場合、サーモクロミックガラス２０のガラス温度は、日射を直接吸収するうえ、熱線吸収フィルムから熱伝導されて熱取得することで速やかに上昇する。このため、サーモクロミックガラス２０の可視光線透過率は速やかに低くなり、可視光線遮蔽率は高くなる。また、太陽５からの日射が弱まって外ガラス７の屋外面２１が受ける窓面日射量が少なくなっていく場合、サーモクロミックガラス２０が日射を直接吸収する量が少なくなると共に、熱線吸収フィルムから熱取得する量も少なくなり、サーモクロミックガラス２０のガラス温度が低下する。このため、サーモクロミックガラス２０の可視光線透過率は高くなり、可視光線遮蔽率は低くなる。このように、日射遮蔽窓１は日射量に応じて日射遮蔽する。
【００２８】
図４のグラフは、外気温３０℃および室温２５℃の下、前述したように外ガラス７の屋外面２１が受ける窓面日射量（Ｗ/ｍ２）およびガラス温度（℃）の関係と、熱遮断フィルム３０が貼り付けられていないサーモクロミックガラス２０単体における窓面日射量（Ｗ/ｍ２）およびガラス温度（℃）の関係とを示している。
サーモクロミックガラス２０単体のガラス温度は、窓面日射量が１００Ｗ/ｍ２から９００Ｗ/ｍ２まで多くなる間に、３０℃程度から４６℃程度にまで上昇する。これに対して、外ガラス７（サーモクロミックガラス２０＋熱線吸収フィルム）のガラス温度は、窓面日射量が１００Ｗ/ｍ２から９００Ｗ/ｍ２まで多くなる間に、３１℃程度から５５℃程度にまで上昇する。このことより、窓面日射量に対するガラス温度の上昇率は、サーモクロミックガラス２０単体よりも外ガラス７の方が高いことがわかる。
【００２９】
図５では、日射遮蔽窓１における内ガラス６および外ガラス７間の距離Ｌを１００ｍｍ、３０ｍｍに設定したものと、中空層８が密閉されたものとを模式的に示している。ここでは、図５（Ａ）に示すように距離Ｌを１００ｍｍに設定したものを日射遮蔽窓１Ａとし、図５（Ｂ）に示すように距離Ｌを３０ｍｍに設定したものを日射遮蔽窓１Ｂとし、図５（Ｃ）に示すように中空層８を密閉したもの（距離Ｌは１２ｍｍ）を日射遮蔽窓１Ｃとする。日射遮蔽窓１Ａは、外ガラス７が外壁面２Ａよりも屋外側に位置しており、この場合は、外ガラス７が外壁面２Ａよりも屋内側にある場合と比べて、外ガラス７が屋外の風を受けやすいので対流熱伝達が大きくなる。日射遮蔽窓１Ｂは、外ガラス７が外壁面２Ａよりも屋内側に位置している。なお、連通口９がない日射遮蔽窓１Ｃは、連通口９がある日射遮蔽窓１Ａ，１Ｂと比較するための参考として挙げている。
図６のグラフは、前述した日射遮蔽窓１Ａ〜１Ｃを建物壁２の開口３にそれぞれ設置した場合の日射熱取得率（％）とガラス温度（℃）との関係を示している。日射熱取得率は、外ガラス７の屋外面２１が受ける窓面日射量（日射量）に対する屋内空間の熱取得率であり、ガラス温度は外ガラス７のサーモクロミックガラス２０の温度である。環境条件は、夏期条件を想定して外気温３５℃、室温２５℃、窓面日射量８００Ｗ/ｍ２とし、窓サイズは上下寸法２ｍ、幅寸法１ｍとした。
図６のグラフでは、距離Ｌが１００ｍｍとされた日射遮蔽窓１Ａのガラス温度は４５℃〜５０℃の間にあるのに対し、距離Ｌが３０ｍｍとされた日射遮蔽窓１Ｂのガラス温度は５５℃〜６０℃の間にあり、日射遮蔽窓１Ａのガラス温度よりも高くなっている。また、日射遮蔽窓１Ａ，１Ｂの日射熱取得率はいずれも３０％よりも低く、日射遮蔽窓１Ｂの日射熱取得率は日射遮蔽窓１Ａの日射熱取得率よりも更に低くなっている。一方、中空層８が密閉された日射遮蔽窓１Ｃのガラス温度は６０℃〜６５℃の間にあり、日射熱取得率は３０％よりも高くなっており、ガラス温度および日射熱取得率のいずれも日射遮蔽窓１Ａ，１Ｂのガラス温度および日射熱取得率よりも高くなっている。
このことより、連通口９がある日射遮蔽窓１Ａ，１Ｂでは、中空層８の屋外空間への排熱によって屋内空間への熱侵入が抑えられていることがわかる。また、日射遮蔽窓１Ｂは、日射遮蔽窓１Ａと比べて、サーモクロミックガラス２０のガラス温度が高いことから透過日射量も少なくなり、日射遮蔽窓１Ｂの透過日射量と中空層８の排熱量との総量が小さくなる結果、日射熱取得率が低くなっていることがわかる。
【００３０】
以上の日射遮蔽窓１において、サーモクロミックガラス２０の屋内面２２に貼り付けられる熱遮断フィルム３０は熱線吸収フィルムとして説明したが、熱線吸収フィルムではなく、主に赤外線を反射する特性を有した熱線反射膜としてのシート状の熱線反射フィルムとしてもよい。
熱線反射フィルムは、例えばポリエステル等の樹脂フィルムが積層された構造とされるが、前述した特性および後述する特性を発揮可能な構成であれば前記構造でなくてもよい。
【００３１】
図３（Ｂ）のグラフは熱線反射フィルムの分光特性を示している。このグラフでは、縦軸が日射の透過率・反射率（％）であり、横軸が日射の波長（ｎｍ）であり、熱線反射フィルムの透過率と波長の関係を実線で示しており、熱線反射フィルムの反射率と波長の関係を点線で示している。
図３（Ｂ）のグラフでは、熱線反射フィルムは、可視光線はあまり反射せずに透過する一方、赤外線を多く反射してあまり透過しない特性を有していることがわかる。また、熱線反射フィルムの可視光線透過率は、サーモクロミックガラス２０の赤外線透過率よりも低くなっていることがわかる。
【００３２】
サーモクロミックガラス２０の屋内面２２に熱遮断フィルム３０として熱線反射フィルムを貼り付けた外ガラス７が窓枠４に取り付けられた日射遮蔽窓１は、次のように作用する。ここでは、外気温が室温よりも高い場合を想定する。
図１に示すように、太陽５からの日射をサーモクロミックガラス２０が受けると、サーモクロミックガラス２０はその透過率に応じて可視光線および赤外線を透過すると共に透過されない赤外線を直接吸収する。
次に、サーモクロミックガラス２０を透過した日射を熱線反射フィルムが受けると、熱線反射フィルムはその透過率に応じて可視光線を透過し且つ赤外線を反射する。熱線反射フィルムを透過した可視光線は屋内空間に入射されるが、赤外線は熱線反射フィルムに反射されることで屋内空間への入射量が少ないので、外ガラス７が受ける日射量に対する屋内空間への熱侵入率は低く抑えられる。また、熱線反射フィルムに反射された赤外線は再びサーモクロミックガラス２０に戻され、サーモクロミックガラス２０は反射された赤外線を吸収するので、サーモクロミックガラス２０のガラス温度の上昇は促進される。
【００３３】
太陽５からの日射が強まって外ガラス７の屋外面２１が受ける窓面日射量が多くなっていく場合、サーモクロミックガラス２０のガラス温度は、日射を直接吸収するうえ、熱線反射フィルムに反射された赤外線を吸収することで速やかに上昇する。このため、サーモクロミックガラス２０の可視光線透過率は速やかに低くなり、可視光線遮蔽率は高くなる。また、太陽５からの日射が弱まって外ガラス７の屋外面２１が受ける窓面日射量が少なくなっていく場合、サーモクロミックガラス２０が日射を直接吸収する量が少なくなると共に、熱線反射フィルムに反射する赤外線の量も少なくなり、サーモクロミックガラス２０のガラス温度が低下する。このため、サーモクロミックガラス２０の可視光線透過率は高くなり、可視光線遮蔽率は低くなる。このように、日射遮蔽窓１は日射量に応じて日射遮蔽する。
【００３４】
［本実施形態の効果］
（１）本実施形態では、日射遮蔽窓１は、内ガラス６および外ガラス７を備えており、外ガラス７は、ガラス温度の上昇によって透過する透過日射量が少なくなる一方、ガラス温度の低下によって透過する透過日射量が多くなる特性を有したサーモクロミックガラス２０によって構成されており、内ガラス６および外ガラス７の間には、屋外空間に連通される中空層８が形成されていることを特徴とする。上記構成を有するため、サーモクロミックガラス２０のガラス温度が変化することで透過日射量を調整することができ、これにより、日射量に対する日射遮蔽率を調整することができる。また、内ガラス６および外ガラス７の間に形成された中空層８が屋外空間と連通しているので、日射量が多い場合であっても中空層８から屋外空間に排熱できるので、中空層８の熱の影響を受ける内ガラス６から屋内空間への熱侵入量を抑えることができる。
（２）サーモクロミックガラス２０の屋内面２２に熱遮断フィルム３０が貼り付けられることで、熱遮断フィルム３０が、サーモクロミックガラス２０全体を透過した赤外線を吸収や反射によって遮断でき、吸収や反射された赤外線を利用してサーモクロミックガラス２０のガラス温度の上昇を促進できる。これにより、太陽５の日射量が多くなる場合には、外ガラス７が遮蔽する日射量を速やかに多くすることができ、外ガラス７から屋内空間への熱侵入量を抑えることができる。
（３）熱遮断フィルム３０が可視光線を透過し且つ赤外線を吸収する特性を有した熱線吸収フィルムによって構成される場合、サーモクロミックガラス２０を透過する可視光線に対する熱線吸収フィルムの影響を抑えることができると共に、サーモクロミックガラス２０を透過した赤外線を熱線吸収フィルムによって吸収することができ、サーモクロミックガラス２０のガラス温度の上昇を促進できる。
（４）熱線吸収フィルムの赤外線透過率がサーモクロミックガラス２０の赤外線透過率よりも低くなっているので、サーモクロミックガラス２０を透過した赤外線を熱線吸収フィルムで遮断でき、外ガラス７から屋内空間への熱侵入量を抑えることができる。
（５）熱線吸収フィルムの可視光線透過率がサーモクロミックガラス２０の可視光線透過率よりも高くなっているので、サーモクロミックガラス２０を透過した可視光線を熱線吸収フィルムにも透過させることができ、熱線吸収フィルムの可視光線への影響を抑えることができる。
（６）熱遮断フィルム３０が可視光線を透過し且つ赤外線を反射する特性を有した熱線反射フィルムによって構成される場合、サーモクロミックガラス２０を透過する可視光線に対する熱線反射フィルムの影響を抑えることができると共に、サーモクロミックガラス２０を透過した赤外線を熱線反射フィルムによって反射することができ、サーモクロミックガラス２０のガラス温度の上昇を促進できる。
（７）熱線反射フィルムの赤外線透過率がサーモクロミックガラス２０の赤外線透過率よりも低くなっているので、サーモクロミックガラス２０を透過した赤外線を熱線反射フィルムで遮断でき、外ガラス７から屋内空間への熱侵入量を抑えることができる。
（８）熱線反射フィルムの可視光線透過率がサーモクロミックガラス２０の可視光線透過率よりも高くなっているので、サーモクロミックガラス２０を透過した可視光線を熱反射フィルムにも透過させることができ、熱線反射フィルムの可視光線への影響を抑えることができる。
（９）外ガラス７の屋外面２１を外壁面２Ａに対して面一となる位置に配置して日射遮蔽窓１を建物壁２の開口３に設置した建物壁構造を構成しているので、例えば外ガラス７の屋外面２１が建物壁２の外壁面２Ａよりも屋外側に突出した位置に配置される場合と比べて、外ガラス７が屋外の風の影響を受けにくい構成にでき、屋外空間から中空層８に過度に流れ込む気体流量を抑えることができる。これにより、中空層８の温度が過度に低下し、この温度の影響を受けたサーモクロミックガラス２０を透過する透過日射量が過度に多くなることを抑制できて、日射遮蔽窓１を透過する透過日射量と中空層８の排熱とのバランスを安定させることができ、屋内空間における日射熱取得率を小さくすることができる。
【００３５】
［変形例］
前記実施形態では、外ガラス７に対して上下に連通口９を形成しているが、中空層８を排熱可能に換気できるように形成されていればよく、例えば外ガラス７に対して上下一方だけに連通口９が一つまたは複数並んで形成されていてもよく、また、外ガラス７の縦側縁と建物壁２との間に連通口９が一つまたは複数並んで形成されていてもよい。
また、連通口９には、当該連通口９を開閉する開閉蓋が設けられていてもよく、この場合、例えば外気温が低く室温が高い冬期などに、開閉蓋によって連通口９を閉鎖し、中空層８による断熱性を高めてもよい。
前記実施形態では、図１では外ガラス７の屋外面２１が、外壁面２Ａに対して面一となる位置に配置されているが、例えば図５（Ｂ）に示すように外壁面２Ａに対して屋内側に寄った位置に配置してもよく、この場合でも、外ガラス７が屋外の風を受けにくい構成にできる。また、サーモクロミックガラス２０のガラス温度や中空層８の排熱量を適切な範囲に保てる場合には、図５（Ａ）に示すように外ガラス７を外壁面２Ａに対して屋外側に配置してもよい。
前記実施形態では、外ガラス７のサーモクロミックガラス２０の屋内面２２に熱遮断フィルム３０が貼り付けられているが、この熱遮断フィルム３０により赤外線を熱遮断する必要や、サーモクロミックガラス２０のガラス温度の上昇を促進させる必要がない場合には、熱遮断フィルム３０の構成を省略してもよい。
前記実施形態では、熱線吸収フィルムは、図２（Ａ）に示す分光特性を有しているが、この特性に限らず、可視光線を透過し、且つサーモクロミックガラス２０のガラス温度を上昇できる程度に赤外線を吸収する特性を有していればよい。また、前記実施形態では、熱線反射フィルムは、図２（Ｂ）に示す分光特性を有しているが、この特性に限らず、可視光線を透過し、且つサーモクロミックガラス２０のガラス温度を上昇できる程度に赤外線を反射する特性を有していればよい。
前記実施形態では、熱線吸収フィルムは、可視光線透過率がサーモクロミックガラス２０の可視光線透過率よりも高くなっているが、同程度であってもよい。また、前記実施形態では、熱線反射フィルムは、可視光線透過率がサーモクロミックガラス２０の可視光線透過率よりも高くなっているが、同程度であってもよい。
前記実施形態では、熱遮断フィルム３０は、サーモクロミックガラス２０の屋内面２２に貼り付けられているので、他の熱遮断フィルム３０と貼り替えることで日射遮蔽ガラス１０の特性を調整、変更することが可能であり、例えば熱線反射フィルムから熱線吸収フィルムに貼り替えることができる。
前記実施形態では、熱遮断フィルム３０は、屋内面２２のうち中空層８に露出する全面に貼り付けられているが、部分的に貼り付けられていてもよく、例えば日射の入射角などを考慮して、サーモクロミックガラス２０の上下半分などに貼り付けられていてもよい。
前記実施形態では、熱遮断フィルム３０は、サーモクロミックガラス２０の屋内面２２に貼り付けられているが、これに限らず、スパッタリング等で形成された熱遮断膜であってもよい。
前記実施形態に係る日射遮蔽窓１は、内ガラス６および外ガラス７を備えた二重窓として構成されているが、例えば、内ガラス６や外ガラス７が窓枠４などの枠材に不動に固定された固定窓（ＦＩＸ窓）であってもよく、内ガラス６や外ガラス７が窓枠４などの枠材に開閉可能に取り付けられた各種の窓であってもよい。外ガラス７を備えた窓が引き違い窓などの開閉可能な窓によって構成される場合には、この窓を中空層８の排熱に適した開口面積となるように開くことで連通口を形成してもよい。また、日射遮蔽窓１は、既設窓の屋外側にサーモクロミックガラス２０を有した外ガラス７を配置し、屋外空間と連通する中空層８を形成することで構成されていてもよい。
【符号の説明】
【００３６】
１（１Ａ〜１Ｃ）…日射遮蔽窓、２…建物壁、２Ａ…外壁面、２０…サーモクロミックガラス、２１…屋外面、２２…屋内面、３…開口、３０…熱遮断フィルム、４…窓枠（枠体）、５…太陽、６…内ガラス、７…外ガラス、８…中空層、９…連通口、Ｌ…距離。
【図１】
2019183546.tif 000003
【図２】
2019183546.tif 000004
【図３】
2019183546.tif 000005
【図４】
2019183546.tif 000006
【図５】
2019183546.tif 000007
【図６】
2019183546.tif 000008